(57)【要約】      （修正有）【課題】外観がすっきりし、まとめて運搬し易い着座具を提供する。【解決手段】着座具１０は、電気によって動作する機能部７５と、機能部７５の動作を制御する制御部と、使用者５０が着座し、制御部を収納する凹部が形成された着座部１１とを備えている。【選択図】図９
2019092852.tif 000002
【特許請求の範囲】
【請求項１】
電気によって動作する機能部と、
前記機能部の動作を制御する制御部と、
使用者が着座し、前記機能部又は前記制御部の少なくとも一部を収納する凹部が形成された本体部と、
を備えていることを特徴とする着座具。
【請求項２】
前記本体部は多孔質体で形成されていることを特徴とする請求項１に記載の着座具。
【請求項３】
前記多孔質体は発泡樹脂であることを特徴とする請求項２に記載の着座具。
【請求項４】
前記凹部は前記本体部の側面に形成されていることを特徴とする請求項１乃至３のいずれか１項に記載の着座具。
【請求項５】
前記凹部は一方向だけに開口していることを特徴とする請求項１乃至４のいずれか１項に記載の着座具。
【発明の詳細な説明】
【技術分野】
【０００１】
本発明は、着座具に関するものである。
【背景技術】
【０００２】
特許文献１の着座具は、座部、背もたれ部、座部に着座した使用者の頭部上方に位置する頭部電極（機能部）、及び頭部電極の下側に位置する足部電極（機能部）を備えている。この着座具は高電圧発生装置（制御部）で生じた高電圧を頭部電極と下部電極とに印加して、頭部電極と下部電極との間で高電界を発生させて、使用者を高電位とすると共に、使用者を高電界内に入れることによって使用者に電位治療を施すことができる。
【先行技術文献】
【特許文献】
【０００３】
【特許文献１】特開２００２−１６５８８８号公報
【発明の概要】
【発明が解決しようとする課題】
【０００４】
しかし、この着座具は、高電圧発生装置や足部電極が着座部の座部と別体に設けられている。このため、この着座具は、外観がすっきりせず、高電圧発生装置や足部電極等をまとめて運搬し難い。
【０００５】
本発明は上記のような事情に基づいて完成されたものであって、外観がすっきりし、運搬し易い着座具を提供することを目的とする。
【課題を解決するための手段】
【０００６】
本発明の着座具は、
電気によって動作する機能部と、
機能部の動作を制御する制御部と、
使用者が着座し、機能部又は制御部の少なくとも一部を収納する凹部が形成された本体部とを備えていることを特徴とする。
【０００７】
この着座具は本体部に形成された凹部に機能部又は制御部の少なくとも一部を収納することができるため、機能部や制御部を備えていてもすっきりとした外観にすることができる。また、この着座具は本体部に形成された凹部に機能部又は制御部の少なくとも一部が収納されているため、本体部、機能部、及び制御部をまとめて運搬し易い。
【０００８】
したがって、本発明の着座具は、外観がすっきりし、運搬し易い。
【図面の簡単な説明】
【０００９】
【図１】実施例１のカバー部材に覆われていない状態の着座具の正面図である。
【図２】実施例１のカバー部材に覆われていない状態の着座具の平面図である。
【図３】実施例１のカバー部材に覆われていない状態の着座具を左方からみた側面図である。
【図４】図１における矢示Ａ−Ａ断面図である。
【図５】実施例１の着座具に対する制御部、及び機能部の取り付け位置を示す斜視図である。
【図６】（Ａ）は第１ヒーター部材、及び電極が着座部の上側に位置する表面クッション部材の上側の面に貼着された状態を示す平面図であり、（Ｂ）は（Ａ）における矢示Ｃ−Ｃ断面図である。
【図７】（Ａ）は図２における矢示Ｂ−Ｂ断面図であって、第２ヒーター部材が背凭れ部の前側に位置する表面クッション部材の前側の面に貼着された状態を示し、（Ｂ）は（Ａ）における矢示Ｄ−Ｄ断面図である。
【図８】実施例１における、制御部、機能部、操作部、及びブランケットの構成を示した概略図である。
【図９】図１における矢示Ａ−Ａ断面図であって、設置面に配置された絶縁部材の上面に載置された実施例１の着座具に使用者が着座した状態を示す。
【図１０】電極で生じる電圧の大きさの変化を示すグラフである。
【図１１】実施例１の着座具の斜視図である。
【発明を実施するための形態】
【００１０】
本発明の着座具の本体部は多孔質体で形成され得る。この場合、この着座具の本体部は多孔質体でない材料を用いる場合に比べて、重量を軽量化することができる。
【００１１】
本発明の着座具の本体部を形成する多孔質体は発泡樹脂であり得る。この場合、この着座具の本体部は重量をより軽量化することができ、運搬し易い。また、この着座具の本体部は発泡樹脂で形成されているため成形した後に容易に加工することができる。このため、この着座具の本体部は凹部等の形状を金型で形成する必要がないため、金型の構造を簡単にすることができ、成形した本体部に対して加工することによって、凹部等の形状を所望の位置に容易に設けることができる。
【００１２】
本発明の着座具の凹部は本体部の側面に形成され得る。この場合、この着座具は制御部や機能部が本体部の底面に配置されている場合に比べて容易にメンテナンスすることができる。また、凹部を本体部の左右側面に設けた場合、凹部に収納された制御部や機能部に、本体部に着座した使用者の足がぶつかることを避けることができる。
【００１３】
本発明の着座具の凹部は一方向だけに開口し得る。この場合、この着座具は凹部に収納された制御部や機能部の１つの面が外側に露出することになる。これにより、この着座具は一方向に開口した部分を除いて制御部や機能部を保護することができる。このため、この着座具は複数の方向に開口した凹部に制御部や機能部を収納した場合に比べて、意図せず制御部や機能部に外から力が加わる機会を減らすことができる。
【００１４】
次に、本発明の着座具を具体化した実施例１について、図１〜１１を参照しつつ説明する。
【００１５】
＜実施例１＞
実施例１の着座具１０は、図１〜５に示すように、着座部１１、背凭れ部１６、表面クッション部材１４、制御部７０、機能部７５、操作部８０、及びカバー部材２０を備えている。着座具１０は、着座部１１に着座した使用者５０の臀部５１、太腿の付け根部分５３、及び背中５２を暖めたり、使用者５０に対して電位治療を施したりする（図９参照。）。
【００１６】
本体部である着座部１１は、座部本体１１Ｅ、第１座部クッション部材１２、及び第２座部クッション部材１３を有している。着座部１１には使用者５０が着座する。
座部本体１１Ｅは、例えば、多孔質体であり、発泡樹脂である公知の発泡スチロール等で形成されている。つまり、座部本体１１Ｅは多孔質体である発泡スチロールで形成されている。
【００１７】
座部本体１１Ｅの底面は平面状に形成されている（図１、３、４参照。）。座部本体１１Ｅは、図２に示すように、上方（上下は、図２における、手前側、奥側である）からの平面視において、左右方向（左右は、図２における左側、右側である）の寸法が後端より前端が僅かに大きいほぼ台形形状をなしている。また、座部本体１１Ｅは前端面（前後は、図２における下側、上側である）の左右中間部が後方向に窪んで湾曲している。
また、座部本体１１Ｅの上側の面は、図４に示すように、前後方向において下方向に窪んでおり、前端から前後中央部に向けて下方向に下降し、前後中央部から後端部に向けて上昇して形成されている。また、座部本体１１Ｅの上側の面の左右両端部には、前後方向に延びて上方向に突出した一対の凸部１１Ｄが設けられている（図１、５参照。）。
【００１８】
また、図１、３、５に示すように、座部本体１１Ｅの左側の下側には溝１１Ａが形成されている。具体的には、溝１１Ａは左右方向に所定の幅を有して前後方向に延びており、座部本体１１Ｅの底面に開口して上方向に窪んで形成されている（図示せず。）。また、溝１１Ａは後側の面が上方向に向けて前側に傾斜して形成されており、前端面が上方向にほぼ垂直に形成されている（図３、５参照。）。つまり、溝１１Ａは左方又は右方から見た側面視においてほぼ台形状である（図３参照。）。また、溝１１Ａには、溝１１Ａが成す空間とほぼ同じ形状であり、平板状をなした固定板１９が着座部１１の下方から上方向に挿入されて座部本体１１Ｅに対して固定されている（図５参照。）。固定板１９は例えば木製である。
また、座部本体１１Ｅの左側の側面の下部には右方向に窪んで形成された凹部１１Ｂが設けられている。つまり、凹部１１Ｂは座部本体１１Ｅの左側の側面に形成されており、一方向（左方向）だけに開口している。凹部１１Ｂには後述する制御部７０が収納される。凹部１１Ｂは前後方向に長いほぼ直方体状をなしている。また、図３に示すように、ほぼ直方体状をなした凹部１１Ｂを形成する四つの面のそれぞれが固定板１９の平板状に拡がる面の領域内に位置している。また、凹部１１Ｂの奥側（図３における奥側）には固定板１９の左側（図３における手前側）の面が露出する。
【００１９】
第１座部クッション部材１２は、例えば、多孔質体であり、発泡樹脂である公知のチップウレタン等で形成されている。第１座部クッション部材１２は、図４、５に示すように、座部本体１１Ｅの上側の面の前後中央部を覆っている。また、第１座部クッション部材１２は座部本体１１Ｅの一対の凸部１１Ｄの間に配置されている（図５参照。）。第１座部クッション部材１２の表面の後端は後述する背凭れ部１６の前側の面の下端部に連続するように形成されている（図４参照。）。
【００２０】
また、第１座部クッション部材１２には、図２、４、５に示すように、第１機能部収納部１２Ａ、及び一対の第２機能部収納部１２Ｂが設けられている。第１機能部収納部１２Ａには後述する機能部７５である接続ボックス７１が収納される。また、各第２機能部収納部１２Ｂのそれぞれには、後述する機能部７５である一対の振動ユニット７８の一部であるモータ７８Ａが１つずつ収納される。
具体的には、第１機能部収納部１２Ａは、図２、４に示すように、座部本体１１Ｅの上側の面の左右中央部の左側であって、背凭れ部１６の近傍の第１座部クッション部材１２に厚み方向に貫通して形成されている。第１機能部収納部１２Ａは左右方向に長いほぼ直方体状をなしている。
また、第１機能部収納部１２Ａと座部本体１１Ｅの凹部１１Ｂとは、図５に示すように、連通孔１１Ｃで連通している。具体的には、連通孔１１Ｃの一方の端が第１機能部収納部１２Ａの内側であって、第１機能部収納部１２Ａを形成する面の内の左側の面に開口しており、第１座部クッション部材１２、及び座部本体１１Ｅを経由して、他方の端が凹部１１Ｂを形成する面の内の上側の面の後端部に開口している。
一対の第２機能部収納部１２Ｂは、図２、５に示すように、それぞれが第１座部クッション部材１２の左右両端部であって、第１座部クッション部材１２の前後中央部に設けられている。第２機能部収納部１２Ｂはほぼ直方体状をなしている。第２機能部収納部１２Ｂは第１座部クッション部材１２を厚み方向に貫通している（図示せず。）。
【００２１】
第２座部クッション部材１３は、例えば、多孔質体であり、発泡樹脂である公知の低反発の発泡ウレタン等で形成されている。第２座部クッション部材１３は、図４、５に示すように、座部本体１１Ｅの上側の面の前端部を覆っている。また、第２座部クッション部材１３は座部本体１１Ｅの一対の凸部１１Ｄの間に配置されている。第２座部クッション部材１３の上側の面の後端は第１座部クッション部材１２の上側の面の前端にほぼ面一である。また、第２座部クッション部材１３の上側の面の前端部は、前方上側に湾曲し、座部本体１１Ｅの前側の面の上端にほぼ面一に形成されている（図４参照。）。
【００２２】
背凭れ部１６は、例えば、多孔質体であり、発泡樹脂である公知の発泡スチロール等で形成されており、座部本体１１Ｅと一体的に形成されている。つまり、背凭れ部１６は多孔質体である発泡スチロールで形成されている。
背凭れ部１６は、図２に示すように、背凭れ部１６の左右中央部を構成する第１支持部１７と、背凭れ部１６の左右両側縁部を構成する左右対称な一対の第２支持部１８を有している。第１支持部１７は座部本体１１Ｅの後端部から上方向に延びている。各第２支持部１８は、第１支持部１７の左右両側縁から前方に向けて互いの間隔が拡がるように斜め前方へ延びて形成されている。また、各第２支持部１８の下側は、下方向に向かうに従い、後方向に傾斜している。これにより、着座部１１に着座した使用者５０が立ち上がる場合、着座部１１の上側の面に手を添えることができ、立ち上がり易い。また、各第２支持部１８は着座部１１に着座した使用者５０の背中５２の左右両側部の一部に当たるのみであるため、使用者５０の背中５２の左右両側部が蒸れ難くなり、さらに、使用者５０が圧迫感を感じ難くすることができる。また、背凭れ部１６の第１支持部１７の前側の面は、図４に示すように、上側に向かうに従い後方向に傾斜する度合いが大きくなっている。これにより、着座部１１に使用者５０が着座すると、第１支持部１７、及び第２支持部１８に寄りかかり易くなる。このため、使用者５０の体重を第１支持部１７、及び第２支持部１８にも分散させることができる。さらに、使用者５０の胸部が圧迫され難くなり、より深く呼吸することができ、これにより、使用者５０がリラックスした状態で着座することができる。そして、第１支持部１７の前後方向の厚みは座部本体１１Ｅから上方向に離れるに従い小さく形成されている。
なお、第２支持部１８の上側の面の上下方向の位置が、着座部１１に着座した使用者５０の胸椎の下部を支持する位置より上方に位置する場合、着座具１０に着座した使用者５０が圧迫感を感じるおそれがある。また、第２支持部１８の上側の面の上下方向の位置が、着座部１１に着座した使用者５０の胸椎の下部を支持する位置より下方に位置する場合、着座具１０に着座した使用者５０の体が左右に旋回したり、左右に傾いたりし易くなるおそれがある。このため、第２支持部１８の上側の面の上下方向の位置は、着座部１１に着座した使用者５０の胸椎の下部を支持する位置が好ましい。これにより、着座部１１に着座した使用者５０は、各第２支持部１８の上側の面に肘を掛けることができ、第２支持部１８の上側の面に肘を掛けつつ、読書等をすることができる。また、着座具１０に着座した使用者５０が立ち上がる場合、各第２支持部１８の上側の面に手を添えることができ、容易に立ち上がることができる。
【００２３】
第１支持部１７の前側の面は、着座部１１に着座した使用者５０の背中５２の左右中央部が当たり得る領域である（図２、９参照。）。各第２支持部１８の前側の面は、着座部１１に着座した使用者５０の背中５２の左右両側部が当たり得る領域である（図２、９参照。）。また、各第２支持部１８の前端部を使用者５０が把持することによって、着座具１０を容易に運搬することができる。
【００２４】
表面クッション部材１４は、例えば、多孔質体であり、発泡樹脂である公知の発泡ウレタン等で形成されている。表面クッション部材１４は第１座部クッション部材１２の第１機能部収納部１２Ａに後述する接続ボックス７１が収納され、一対の第２機能部収納部１２Ｂのそれぞれに、後述する一対の振動ユニット７８の一部であるモータ７８Ａが収納された後に取り付けられる。
表面クッション部材１４は、座部本体１１Ｅの前側の面、座部本体１１Ｅの一対の凸部１１Ｄの上側の面、第２座部クッション部材１３の上側の面、第１座部クッション部材１２の上側の面、及び背凭れ部１６の前側の面及び上側の面に沿ってこれらの面を覆っている。背凭れ部１６の上側の面を覆う表面クッション部材１４の後端面は背凭れ部１６の後側の面の上端にほぼ面一である。また、座部本体１１Ｅの前側の面を覆う表面クッション部材１４の下端面は座部本体１１Ｅの底面の前端にほぼ面一である。
【００２５】
着座具１０は、着座部１１に使用者５０が着座すると、表面クッション部材１４、第１座部クッション部材１２、及び第２座部クッション部材１３が変形し、使用者５０の臀部５１、太腿の付け根部分５３、及び背中５２に表面クッション部材１４の表面が密着する（図９参照。）。これにより、着座具１０は使用者５０の臀部５１、太腿の付け根部分５３、及び背中５２が密着する表面クッション部材１４に使用者５０の体重を満遍なく分散させることができる。
【００２６】
制御部７０は、図８に示すように、第１筺体７０Ａ及び第１基板７０Ｂを有している。第１筺体７０Ａは、例えば、合成樹脂で形成され、ほぼ直方体状をなした箱である。第１筺体７０Ａの外形は座部本体１１Ｅの凹部１１Ｂが成す空間の形とほぼ同じである（図５参照。）。第１基板７０Ｂは第１筺体７０Ａに収納されており、実装された様々な電子部品によって電気回路が形成されている。制御部７０は商用電源（図示せず）から第１基板７０Ｂに電源コード７６Ｊを介して電力が供給され、この電力に基づいて動作する。制御部７０は後述する操作部８０を操作することによって、後述する機能部７５の動作を制御することができる。つまり、制御部７０は機能部７５の動作を制御する。制御部７０は、凹部１１Ｂに収納され、奥側の面を固定板１９の左側の面に当接させて固定板１９に固定されている。また、第１筺体７０Ａにはソケット７０Ｃが設けられている。ソケット７０Ｃには後述するブランケット７７のプラグ７７Ｇを差し込むことによって、ブランケット７７に電力を供給することができる。
【００２７】
機能部７５は、接続ボックス７１、一対の振動ユニット７８、第１ヒーター部材７２、第２ヒーター部材７３、及び電極７４を有している。
接続ボックス７１は第２筺体７１Ａ、及び第２基板７１Ｂを具備している。
第２筺体７１Ａは、例えば、合成樹脂で形成され、ほぼ直方体状をなした箱である。第２筺体７１Ａの外形は第１座部クッション部材１２の第１機能部収納部１２Ａが成す空間の形とほぼ同じである。
第２基板７１Ｂは第２筺体７１Ａに収納されており、実装された様々な電子部品によって電気回路が形成されている。第２基板７１Ｂと第１基板７０Ｂとは、互いに並列な２本のケーブル７６Ａ，７６Ｂを介して電気的に接続されている。ケーブル７６Ａは４本のハーネスが互いに並列をなして束ねられている。また、ケーブル７６Ｂは５本のハーネスが互いに並列をなして束ねられている。
【００２８】
こうして構成された接続ボックス７１は第１機能部収納部１２Ａに収納されている（図４参照。）。そして、ケーブル７６Ａ，７６Ｂは連通孔１１Ｃに挿通されて、第２基板７１Ｂと第１基板７０Ｂとを電気的に接続している。接続ボックス７１は第１基板７０Ｂから第２基板７１Ｂに電力が供給されると、後述する一対の振動ユニット７８、後述する第１ヒーター部材７２、後述する第２ヒーター部材７３、及び後述する電極７４のそれぞれに電力を分配して供給する。
【００２９】
一対の振動ユニット７８のそれぞれは、モータ７８Ａ及びモータ固定板７８Ｂ具備している。モータ７８Ａは、例えば、公知のアンバランスモータ等で構成されており、電力が供給されると回転子が回転して振動する。モータ７８Ａは第２基板７１Ｂに対して、互いに並列な２本のハーネス７６Ｃを介して電気的に接続されている。モータ固定板７８Ｂはほぼ正方形状をなした平板である。モータ固定板７８Ｂは、例えば、合成樹脂で形成されている。各モータ固定板７８Ｂにはモータ７８Ａが１つずつ、それぞれの回転子の回転が妨げられないように固定されている。こうして構成された各振動ユニット７８は一対の第２機能部収納部１２Ｂのそれぞれに各モータ７８Ａを１つずつ収納し、各モータ固定板７８Ｂで各第２機能部収納部１２Ｂの開口を塞ぐように各モータ固定板７８Ｂが第１座部クッション部材１２の上側の面に貼着されている（図２参照。）。
【００３０】
第１ヒーター部材７２は、図６（Ｂ）に示すように、基材７２Ａ、電線７２Ｂ、不織布７２Ｃを具備している。基材７２Ａは長方形状をなしたフエルト製である。電線７２Ｂには、例えば公知のコードヒーターが用いられる。不織布７２Ｃは基材７２Ａとほぼ同じ大きさをなした布である。第１ヒーター部材７２は電線７２Ｂが基材７２Ａの一方の面に蛇行状に配線されている。不織布７２Ｃは電線７２Ｂが配線された基材７２Ａの一方の面に、電線７２Ｂを覆って貼着されている。
第１ヒーター部材７２は、一対の凸部１１Ｄの間であって、第１機能部収納部１２Ａの前端より前方に位置する表面クッション部材１４の上側の面に貼着される（図６（Ａ）参照。）。
【００３１】
使用者５０が着座部１１に着座すると、第１ヒーター部材７２、表面クッション部材１４、第１座部クッション部材１２、及び第２座部クッション部材１３が変形する。特に、第１ヒーター部材７２の中央部は使用者５０の体重が掛かり易く、最も沈み込む。このため、第１ヒーター部材７２の中央部に電線７２Ｂを配線すると、電線７２Ｂが基材７２Ａに対してずれたり、断線したりするおそれがある。
電線７２Ｂが基材７２Ａに対してずれたり、断線したりすることを防止するため、第１ヒーター部材７２が表面クッション部材１４の上側の面に貼着された状態において、電線７２Ｂは、図６（Ａ）に示すように、長方形状をなした基材７２Ａの左右両端部、及び後端部に配線されており、基材７２Ａの中央部、及び前端部の左右中央に配線されていない。
【００３２】
また、電線７２Ｂの両端は、基材７２Ａの左端部の後端から引き出されている。引き出された電線７２Ｂの両端のそれぞれは、互いに並列な２本のハーネス７６Ｄを介して第２基板７１Ｂに電気的に接続されている。これらハーネス７６Ｄは、接続ボックス７１の近傍の表面クッション部材１４に厚み方向に貫通して設けられた貫通孔（図示せず）を経由して、第１ヒーター部材７２の電線７２Ｂの両端のそれぞれと、第２基板７１Ｂとを電気的に接続している。
こうして形成された第１ヒーター部材７２は変形自在であり、電線７２Ｂに電力が供給されると電線７２Ｂが発熱する。
【００３３】
第２ヒーター部材７３は、図７（Ｂ）に示すように、基材７３Ａ、電線７３Ｂ、不織布７３Ｃを具備している。基材７３Ａは長方形状をなしたフエルト製である。電線７３Ｂには、例えば公知のコードヒーターが用いられる。不織布７３Ｃは基材７３Ａとほぼ同じ大きさをなした布である。第２ヒーター部材７３は電線７３Ｂが基材７３Ａの一方の面に蛇行状に配線されている。不織布７３Ｃは電線７３Ｂが配線された基材７３Ａの一方の面に、電線７３Ｂを覆って貼着されている。
第２ヒーター部材７３は、背凭れ部１６の左右中央部であって、第１機能部収納部１２Ａの後端より上方の表面クッション部材１４の前側の面に貼着されている（図７（Ａ）参照。）。
【００３４】
また、電線７３Ｂの両端は、長方形状をなした基材７３Ａの左端部の下端から引き出されている。引き出された電線７３Ｂの両端それぞれは、互いに並列な２本のハーネス７６Ｅを介して第２基板７１Ｂに電気的に接続されている。これらハーネス７６Ｅは、接続ボックス７１の近傍の表面クッション部材１４に厚み方向に貫通して設けられた貫通孔（図示せず）を経由して、第２ヒーター部材７３の電線７３Ｂの両端のそれぞれと、第２基板７１Ｂとを電気的に接続している。
こうして形成された第２ヒーター部材７３は変形自在であり、電線７３Ｂに電力が供給されると電線７３Ｂが発熱する。
【００３５】
電極７４は、図６（Ｂ）に示すように、導電材７４Ａ、及び両面テープ７４Ｃを具備している。導電材７４Ａはほぼ長方形状をなし、導電性を有した繊維が織り込まれた布である。電極７４は、導電材７４Ａの一方の面を表面クッション部材１４に貼着された第１ヒーター部材７２の上側の面に対向させて、第１ヒーター部材７２の上側に両面テープ７４Ｃを用いて貼着されている（図４、５、６（Ｂ）参照。）。また、電極７４は第１ヒーター部材７２の前側の領域に重ねられている。
【００３６】
電極７４は導電材７４Ａに１本のハーネス７６Ｆの一端が電気的に接続されている。また、ハーネス７６Ｆの他端は第２基板７１Ｂに対して電気的に接続されている。ハーネス７６Ｆは、接続ボックス７１の近傍の表面クッション部材１４に厚み方向に貫通して設けられた貫通孔（図示せず）を経由して、電極７４と第２基板７１Ｂとを電気的に接続している。
こうして形成された電極７４は変形自在であり、電力が供給されると、供給された電力に基づいて所定の電圧を生じる。このように、機能部７５である接続ボックス７１、一対の振動ユニット７８、第１ヒーター部材７２、及び第２ヒーター部材７３、及び電極７４は電気によって動作する。
【００３７】
操作部８０は、第３筺体８０Ａ、及び第３基板８０Ｂを有している。
第３筺体８０Ａは、例えば、合成樹脂で形成され、ほぼ直方体状をなした箱である。
第３基板８０Ｂは第３筺体８０Ａに収納されており、表示部８０Ｃや複数の押しボタン８０Ｄ等の電子部品が実装され、電気回路が形成されている。第３基板８０Ｂと第１基板７０Ｂとは、１本のケーブル７６Ｇを介して電気的に接続されている。ケーブル７６Ｇは４本のハーネスが互いに並列をなして束ねられている。こうして操作部８０は形成されている。
着座部１１に着座した使用者５０は、表示部８０Ｃに表示された情報を確認する。表示部８０Ｃには、現在の制御部７０の電源のオン／オフの状態、第１ヒーター部材７２、及び第２ヒーター部材７３の温度やそれぞれのオン／オフの状態、及び電極７４で電圧が生じる時間や電極７４のオン／オフの状態等の情報が表示される。そして、使用者は表示部８０Ｃに表示されたこれらの情報を把握し、その後、複数の押しボタン８０Ｄのいずれかを押下する。これにより、使用者５０は制御部７０の電源のオン／オフの状態、第１ヒーター部材７２、及び第２ヒーター部材７３の温度やそれぞれのオン／オフの状態、及び電極７４で電圧が生じる時間や電極７４のオン／オフの状態等を所望の状態に変更したり切り替えたりすることができる。
また、操作部８０は、後述するブランケット７７が制御部７０に電気的に接続されている場合、ブランケット７７の温度の表示や変更、及びオン／オフの状態の表示や切り替え等もすることができる。
【００３８】
カバー部材２０は布製である。カバー部材２０の厚みは全領域にわたりほぼ同じである。カバー部材２０は、図４に示すように、表面クッション部材１４の表面、座部本体１１Ｅの左右両側及び後側の面、背凭れ部１６の左右両側及び後側の面の形状に沿う形状に縫製されている。こうして形成されたカバー部材２０は表面クッション部材１４の表面、座部本体１１Ｅの左右両側及び後側の面、背凭れ部１６の左右両側及び後側の面に沿ってこれらの面を覆う。
【００３９】
また、カバー部材２０の座部本体１１Ｅの左側の面を覆う部分の前側には、図１１に示すように、ポケット２０Ａが設けられている。ポケット２０Ａは、四角形状をなした布である。ポケット２０Ａはカバー部材２０の座部本体１１Ｅの左側の面に前端縁、後端縁、及び下端縁が縫いつけられ、上端縁が縫いつけられていない。ポケット２０Ａには縫い付けられていない上端縁から操作部８０等を挿入して収納することができる。操作部８０をポケット２０Ａに収納しておくことで、着座具１０を容易に運搬することができる。また、カバー部材２０の座部本体１１Ｅの左側の面を覆う部分の後側の下端部には開口孔２０Ｂが形成されている。制御部７０には、開口孔２０Ｂを介して電源コード７６Ｊ、ケーブル７６Ｇ、及びケーブル７７Ｃが接続される。
【００４０】
カバー部材２０は、第１座部クッション部材１２、第２座部クッション部材１３、及び表面クッション部材１４が弾性変形すると、この弾性変形に追従して変形する。こうして着座具１０は構成されている。また、着座部１１の上側の面に位置する表面クッション部材１４の表面に位置するカバー部材２０の表面と、第１支持部１７の前側の面に位置する表面クッション部材１４の表面とがなす角度θはおよそ７５°〜９０°が好ましく、より好ましい角度θはおよそ８０°である（図４参照。）。
【００４１】
また、着座具１０にはブランケット７７を電気的に接続することができる。ブランケット７７は、図８に示すように、電線７７Ａ、芯地７７Ｂ、ケーブル７７Ｃ、内袋７７Ｄ、及び外カバー７７Ｅを有している。
【００４２】
電線７７Ａは、例えば、公知のコードヒーター等が用いられる。
芯地７７Ｂは布製でありほぼ長方形状をなしている。また、芯地７７Ｂの一方の面にはサンゴの砂が充填された袋が縫いつけられている（図示せず。）。この袋は充填されたサンゴの砂が片寄らないようにするため、複数の領域に区分けされており、区分けされた各領域にサンゴの砂が充填されている。また、電線７７Ａは芯地７７Ｂの他方の面に蛇行状に配線されている。また、芯地７７Ｂの他方の面には、電線７７Ａと共にサーミスタ７７Ｆが貼着されている。
【００４３】
ケーブル７７Ｃは４本のハーネスが互いに並列をなして束ねられている。ケーブル７７Ｃの一方の端に位置する各ハーネスのそれぞれは、電線７７Ａの両端、及びサーミスタ７７Ｆの両端に１本ずつが電気的に接続されている。また、ケーブル７７Ｃの他方の端にはプラグ７７Ｇが設けられている。プラグ７７Ｇには４つの端子７７Ｈが設けられており、これら端子７７Ｈのそれぞれにケーブル７７Ｃの各ハーネスが１本ずつ電気的に接続している。プラグ７７Ｇは、制御部７０に設けられたソケット７０Ｃに差し込むことによって、電線７７Ａ及びサーミスタ７７Ｆのそれぞれと、制御部７０の第１基板７０Ｂとをケーブル７７Ｃを介して電気的に接続する。
【００４４】
内袋７７Ｄは布製で長方形状をなした袋状であり、長方形状の内の一辺が開口している。内袋７７Ｄの外形は芯地７７Ｂの外形より僅かに大きい。内袋７７Ｄは電線７７Ａが配線された芯地７７Ｂの全体を覆っている。
外カバー７７Ｅは布製で長方形状をなした袋状であり、長方形状の内の一辺が開口している。外カバー７７Ｅの外形は内袋７７Ｄの外形より僅かに大きい。外カバー７７Ｅは芯地７７Ｂを覆う内袋７７Ｄの全体を覆っている。
【００４５】
こうして構成されたブランケット７７は、プラグ７７Ｇを制御部７０のソケット７０Ｃに差し込むことによって電線７７Ａ及びサーミスタ７７Ｆのそれぞれに電力を供給することができる。そして、電線７７Ａは供給された電力に基づいて発熱する。また、サーミスタ７７Ｆは電線７７Ａの発熱によって暖められた芯地７７Ｂの温度に応じて電気抵抗値が変化し、この電気抵抗値がケーブル７７Ｃを介して制御部７０の第１基板７０Ｂに伝達される。制御部７０はこの電気抵抗値に基づいて電線７７Ａの発熱によって暖められた芯地７７Ｂの温度を得ることができる。
【００４６】
着座具１０は、図９に示すように、平板状をなして形成され、電気伝導性を有さない絶縁部材２１の上面に座部本体１１Ｅの底面を当接させて設置面Ｌに設置される。絶縁部材２１は、着座具１０の着座部１１の前側から前方に、使用者５０の足が配置できる所定の寸法突出している。
使用者５０が着座具１０に着座すると、臀部５１、及び太腿の付け根部分５３が着座部１１によって下から支えられ、背中５２が背凭れ部１６により後方から支えられる。
【００４７】
そして、使用者５０が操作部８０の表示部８０Ｃに表示された情報を確認して現在の着座具１０の機能部７５の状態を把握した後、複数の押しボタン８０Ｄのいずれかを押下する。これにより、使用者５０は、制御部７０の電源のオン／オフの状態、第１ヒーター部材７２、及び第２ヒーター部材７３の温度やそれぞれのオン／オフの状態、及び電極７４で電圧が生じる時間や電極７４のオン／オフの状態等を所望の状態に変更したり切り替えたりする。
そして、ブランケット７７のプラグ７７Ｇが制御部７０のソケット７０Ｃに差し込まれている場合、使用者５０は操作部８０を用いて、ブランケット７７の温度やオン／オフの状態を確認したり、ブランケット７７の温度やオン／オフの状態を所望の状態に切り替えたりすることもできる。
【００４８】
ここで、使用者５０が電極７４をオンの状態に切り替えた際に電極７４で生じる電圧Ｅは、図１０に示すように、所定の時間Ｔ毎に、大きさが０Ｖ（ボルト）から−Ｖpに矩形状に変化する矩形波である。−Ｖpは、例えば−６００Ｖ（ボルト）である。また、電極７４がオン状態（すなわち、使用者５０が操作部８０を用いて電極７４の状態をオン状態に切替えて、オン状態を保持している間）のとき、振動ユニット７８のモータ７８Ａを間欠的に駆動してモータ７８Ａを間欠的に振動させる。これにより、使用者５０に電極７４がオン状態であることを報知することができる。
【００４９】
このように、着座具１０は着座部１１に窪んで形成された凹部１１Ｂに制御部７０を収納することができるため、制御部７０を有していてもすっきりとした外観にすることができる。また、着座具１０は着座部１１に形成された凹部１１Ｂに制御部７０が収納されているため、着座部１１、及び制御部７０をまとめて運搬し易い。
【００５０】
したがって、本発明の着座具１０は、外観がすっきりし、運搬し易い。
【００５１】
また、着座具１０の着座部１１は多孔質体で形成されている。このため、着座具１０の着座部１１は多孔質体でない材料を用いる場合に比べて、重量を軽量化することができる。
【００５２】
また、着座具１０の着座部１１を形成する多孔質体は発泡スチロールである。このため、着座具１０の着座部１１は重量をより軽量化することができ、運搬し易い。また、着座具１０の着座部１１は発泡スチロールで形成されているため成形した後に容易に加工することができる。このため、着座具１０の着座部１１は凹部１１Ｂ等の形状を金型で形成する必要がないため、金型の構造を簡単にすることができ、成形した着座部１１に対して加工することによって、凹部１１Ｂ等の形状を所望の位置に容易に設けることができる。
【００５３】
また、着座具１０の凹部１１Ｂは着座部１１の側面に形成されている。このため、着座具１０は制御部７０が着座部１１の底面に配置されている場合に比べて容易にメンテナンスすることができる。また、凹部１１Ｂが着座部１１の左側面に設けられているため、凹部１１Ｂに収納された制御部７０に、着座部１１に着座した使用者５０の足がぶつかることを避けることができる。
【００５４】
また、この着座具１０の凹部１１Ｂは一方向（左方向）だけに開口している。このため、この着座具１０は凹部１１Ｂに収納された制御部７０の１つの面が外側に露出することになる。これにより、この着座具１０は一方向に開口した部分を除いて制御部７０を保護することができる。このため、この着座具１０は複数の方向に開口した凹部に制御部７０を収納した場合に比べて、意図せず制御部７０に外から力が加わる機会を減らすことができる。
【００５５】
＜他の実施例＞
本発明は上記記述及び図面によって説明した実施例に限定されるものではなく、例えば次のような実施例も本発明の技術的範囲に含まれる。
（１）実施例１の着座具は、座部本体と背凭れ部が一体的に形成されたものであるが、別体で成形された座部本体と背凭れ部とを組み付けて構成されるものであってもよい。これにより、梱包したり、運搬したりする時に、よりコンパクトにすることができる。
（２）実施例１では、座部本体、及び背凭れ部が発泡スチロール製であったが、座部本体、及び背凭れ部を積層した段ボールや、ハニカム構造体等の他の材料で形成してもよい。また、これらの材料を併用してもよい。
（３）実施例１では、制御部と操作部とがケーブルで電気的に接続されているが、操作部を電池による駆動として、制御部と操作部とのそれぞれに無線を送受信する送受信部を設け、制御部と操作部とを無線で通信させてもよい。これにより、より外観をすっきりさせることができ、さらに運搬し易くなる。
（４）実施例１では、電極を着座部の上側に設けられた第１ヒーター部材の上側の面に貼着しているが、電極を背凭れ部の前側に設けられた第２ヒーター部材の前側の面や、座部本体の前側の面に位置する表面クッション部材の前側の面に貼着してもよい。
（５）実施例１では、機能部として、接続ボックス、一対の振動ユニット、第１ヒーター部材、第２ヒーター部材、及び電極を設けているが、使用者の体温、脈拍、血圧等の生体情報を読み取ったり、使用者が着座した際に本体部に掛かる圧力を検知したりする圧力センサーを機能部として設け、これらセンサーから得られた情報を操作部の表示部に表示させてもよい。また、使用者に施術を行う場合、これらセンサーから得られた情報に基づいて、使用者の体の状態に最適な施術を行うことができる。また、マッサージ器や、電気刺激装置等の装置を機能部として設けてもよい。
（６）実施例１では、第１座部クッション部材に形成された第１機能部収納部に接続ボックスが収納され、第２機能部収納部に振動ユニットが収納されているが、座部本体の上面に、座部本体の上面から底面に向けて窪んで第１機能部収納部、及び第２機能部収納部を形成してもよい。これにより、使用者の臀部から操作ボックスをより離すことができ、使用者の臀部に操作ボックスの感触を伝え難くすることができる。また、使用者の臀部から一対の振動ユニットまでの距離を調節する幅を拡げることができるため、使用者に伝わる振動ユニットの振動の感覚をより様々に変化させることができる。また、第１機能部収納部、及び第２機能部収納部を座部本体の側面に形成してもよい。つまり、第１機能部収納部及び第２機能部収納部を座部本体に窪んで設けて、機能部である接続ボックスや一対の振動ユニットの少なくとも一部を収納する。
（７）実施例１では、電極で生じる電圧は０Ｖから−６００Ｖで矩形状に変化するが、０Ｖに限らず、０Ｖより大きくてもよく、小さくてもよい。また、−６００Ｖに限らず、−６００Ｖより大きくてもよく、小さくてもよい。また、電圧の変化が矩形状に変化しなくてもよく、正弦波等の他の波形形状にしてもよい。
（８）実施例１では、固定板が木製であるが、合成樹脂等の他の材料であってもよい。
（９）実施例１では、電極に導電性を有した繊維が織り込まれた布で形成されているが、合成樹脂製の第１シートの一方の面に金属製の網目状のパターンを設け、このパターンの表面の全体を覆うように合成樹脂製の第２シートを第１シートの一方の面に貼着したものを電極として用いてもよい。
（１０）実施例１では、制御部が凹部に収納されているが、制御部の一部を凹部に収納してもよい。
【符号の説明】
【００５６】
１０…着座具
１１…着座部（本体部）
７５…機能部
７０…制御部
１１Ｂ…凹部
【図１】
2019092852.tif 000003
【図２】
2019092852.tif 000004
【図３】
2019092852.tif 000005
【図４】
2019092852.tif 000006
【図５】
2019092852.tif 000007
【図６】
2019092852.tif 000008
【図７】
2019092852.tif 000009
【図８】
2019092852.tif 000010
【図９】
2019092852.tif 000011
【図１０】
2019092852.tif 000012
【図１１】
2019092852.tif 000013